(57)【要約】【課題】加熱部材を安定させて支持するとともに、加熱部材に対する電路を簡易に形成する。【解決手段】ドロワーコネクタ１００側に配置された端子９２ａは、ネジなどの固定部材９３ａにより、板金９４に接触させられ、板金９４の一端とともに第１の筐体６８に対して固定されている。端子９２ｂは、ネジなどの固定部材９３ｂにより、板金１０２の一端に固定されている。板金１０２は、ネジなどの固定部材９３ｃにより、他端が第１の筐体６８に固定されている。そして、ヒータ８０は、端子９２ｂ側が板金１０２を介して第１の筐体６８に固定されているので、変形（撓み）可能な板金１０２によって端子９２ｂ側が軸方向に変位可能に支持されている。【選択図】図３
2009229849.tif 000002
【特許請求の範囲】
【請求項１】
画像形成装置本体に対して着脱される定着装置本体と、
この定着装置本体内に設けられ、間に記録媒体を通すことにより記録媒体上に保持された現像剤像を記録媒体に定着させる２つの回転体と、
この回転体の少なくともいずれかの内部に配置され、該回転体を加熱する加熱部材と、
前記定着装置本体の端部に設けられ、画像形成装置本体から供給される電力を前記加熱部材に供給する給電手段と、
前記定着装置本体の前記給電手段側で前記加熱部材の一端を前記定着装置本体に固定する固定手段と、
前記加熱部材の他端を変位可能に支持する支持部材と
を有する定着装置。
【請求項２】
前記加熱部材により加熱された前記回転体が所定の温度以上になった場合に、前記給電手段から前記加熱部材への電路を遮断する回路遮断器をさらに有し、
前記支持部材は、
前記回路遮断器から前記加熱部材までの電路の一部を構成するとともに、前記回路遮断器と前記加熱部材との距離が所定の範囲内で変化するように、前記加熱部材の他端を変位可能に支持する
請求項１記載の定着装置。
【請求項３】
前記給電手段は、
該給電手段から前記加熱部材への電路を形成するための２つの端子を有し、
前記端子の一方は、
前記回路遮断器に対して接続されて電路を形成し、
前記端子の他方は、
前記固定手段に固定された前記加熱部材の一端に接続されて電路を形成する
請求項２記載の定着装置。
【請求項４】
前記固定手段に固定された前記加熱部材の一端に接続されて電路を形成する他方の前記端子は、
前記回転体の軸方向に略直交する方向に着脱可能に接続される
請求項３記載の定着装置。
【請求項５】
前記固定手段に固定された前記加熱部材の一端に接続されて電路を形成する他方の前記端子は、
形成する電路が前記定着装置本体に設けられた引掛け部材に引掛けられた状態で配置されるように、
前記加熱部材の一端に接続される
請求項３又は４記載の定着装置。
【請求項６】
前記引掛け部材は、
前記固定手段に固定された前記加熱部材の一端に接続される他方の前記端子側の電路が該引掛け部材により折返す方向に対し、逆方向に開放されている
請求項５記載の定着装置。
【請求項７】
画像形成装置本体内に設けられた画像形成部と、
この画像形成部が形成する画像を記録媒体に転写する転写手段と、
この転写手段が転写した画像を記録媒体に定着させる定着装置と、
電力を出力する電源と
を具備し、
前記定着装置は、
前記画像形成装置本体に対して着脱される定着装置本体と、
この定着装置本体内に設けられ、間に記録媒体を通すことにより記録媒体に転写された画像を記録媒体に定着させる２つの回転体と、
この回転体の少なくともいずれかの内部に配置され、該回転体を加熱する加熱部材と、
前記定着装置本体の端部に設けられ、前記電源が出力する電力を前記加熱部材に供給する給電手段と、
前記定着装置本体の前記給電手段側で前記加熱部材の一端を前記定着装置本体に固定する固定手段と、
前記加熱部材の他端を変位可能に支持する支持部材と
を有する画像形成装置。
【発明の詳細な説明】
【技術分野】
【０００１】
本発明は、定着装置及び画像形成装置に関するものである。
【背景技術】
【０００２】
特許文献１は、ヒートローラ内のハロゲンヒータの一方の端子を可動給電部によって支持し且つ給電する画像形成装置を開示する。
【０００３】
【特許文献１】特開２０００−２８４６２２号公報
【発明の開示】
【発明が解決しようとする課題】
【０００４】
本発明は、加熱部材を安定させて支持するとともに、加熱部材に対する電路を簡易に形成することができる定着装置及び画像形成装置を提供することを目的とする。
【課題を解決するための手段】
【０００５】
上記目的を達成するため、請求項１に係る本発明は、画像形成装置本体に対して着脱される定着装置本体と、この定着装置本体内に設けられ、間に記録媒体を通すことにより記録媒体上に保持された現像剤像を記録媒体に定着させる２つの回転体と、この回転体の少なくともいずれかの内部に配置され、該回転体を加熱する加熱部材と、前記定着装置本体の端部に設けられ、画像形成装置本体から供給される電力を前記加熱部材に供給する給電手段と、前記定着装置本体の前記給電手段側で前記加熱部材の一端を前記定着装置本体に固定する固定手段と、前記加熱部材の他端を変位可能に支持する支持部材とを有する定着装置である。
【０００６】
請求項２に係る本発明は、前記加熱部材により加熱された前記回転体が所定の温度以上になった場合に、前記給電手段から前記加熱部材への電路を遮断する回路遮断器をさらに有し、前記支持部材は、前記回路遮断器から前記加熱部材までの電路の一部を構成するとともに、前記回路遮断器と前記加熱部材との距離が所定の範囲内で変化するように、前記加熱部材の他端を変位可能に支持する請求項１記載の定着装置である。
【０００７】
請求項３に係る本発明は、前記給電手段は、該給電手段から前記加熱部材への電路を形成するための２つの端子を有し、前記端子の一方は、前記回路遮断器に対して接続されて電路を形成し、前記端子の他方は、前記固定手段に固定された前記加熱部材の一端に接続されて電路を形成する請求項２記載の定着装置である。
【０００８】
請求項４に係る本発明は、前記固定手段に固定された前記加熱部材の一端に接続されて電路を形成する他方の前記端子は、前記回転体の軸方向に略直交する方向に着脱可能に接続される請求項３記載の定着装置である。
【０００９】
請求項５に係る本発明は、前記固定手段に固定された前記加熱部材の一端に接続されて電路を形成する他方の前記端子は、形成する電路が前記定着装置本体に設けられた引掛け部材に引掛けられた状態で配置されるように、前記加熱部材の一端に接続される請求項３又は４記載の定着装置である。
【００１０】
請求項６に係る本発明は、前記引掛け部材は、前記固定手段に固定された前記加熱部材の一端に接続される他方の前記端子側の電路が該引掛け部材により折返す方向に対し、逆方向に開放されている請求項５記載の定着装置である。
【００１１】
請求項７に係る本発明は、画像形成装置本体内に設けられた画像形成部と、この画像形成部が形成する画像を記録媒体に転写する転写手段と、この転写手段が転写した画像を記録媒体に定着させる定着装置と、電力を出力する電源とを具備し、前記定着装置は、前記画像形成装置本体に対して着脱される定着装置本体と、この定着装置本体内に設けられ、間に記録媒体を通すことにより記録媒体に転写された画像を記録媒体に定着させる２つの回転体と、この回転体の少なくともいずれかの内部に配置され、該回転体を加熱する加熱部材と、前記定着装置本体の端部に設けられ、前記電源が出力する電力を前記加熱部材に供給する給電手段と、前記定着装置本体の前記給電手段側で前記加熱部材の一端を前記定着装置本体に固定する固定手段と、前記加熱部材の他端を変位可能に支持する支持部材とを有する画像形成装置である。
【発明の効果】
【００１２】
請求項１に係る本発明によれば、加熱部材を安定させて支持するとともに、加熱部材に対する電路を簡易に形成することができる。
【００１３】
請求項２に係る本発明によれば、請求項１に係る本発明の効果に加えて、本構成を有していない場合に比較して、構成を簡易にすることができる。
【００１４】
請求項３に係る本発明によれば、請求項２に係る本発明の効果に加えて、本構成を有していない場合に比較して、組立性を向上させることができる。
【００１５】
請求項４に係る本発明によれば、請求項３に係る本発明の効果に加えて、本構成を有していない場合に比較して、組立性をさらに向上させることができる。
【００１６】
請求項５に係る本発明によれば、請求項３又は４に係る本発明の効果に加えて、加熱部材に対する電路を容易に配設することができ、組立性をさらに向上させることができる。
【００１７】
請求項６に係る本発明によれば、請求項５に係る本発明の効果に加えて、本構成を有していない場合に比較して、加熱部材に対する電路を所定の位置に容易に配置することができる。
【００１８】
請求項７に係る本発明によれば、加熱部材を安定させて支持するとともに、加熱部材に対する電路を簡易に形成することができる。
【発明を実施するための最良の形態】
【００１９】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００２０】
それぞれの給紙ユニット１８は、給紙ユニット本体２０と、用紙などの記録媒体が収納される給紙カセット２２とを有する。給紙カセット２２の奥端近傍上部にはピックアップロール２４が配置され、このピックアップロール２４の後方にリタードロール２６及びフィードロール２８が配置されている。
【００２１】
主搬送路３２は、フィードロール２８から排出口３４までの用紙通路であり、この主搬送路３２は、画像形成装置本体１２の裏側（図１の左側面）近傍にあって、最下端の給紙ユニット１８から後述する定着装置３６まで略鉛直に形成されている部分を有する。この主搬送路３２の定着装置３６の上流側に後述する転写装置４２と像担持体４４が配置され、さらに転写装置４２と像担持体４４の上流側にレジストロール３８が配置されている。さらに、主搬送路３２の排出口３４の近傍には排出ロール４０が配置されている。
【００２２】
したがって、給紙ユニット１８の給紙カセット２２からピックアップロール２４により送り出された用紙は、リタードロール２６及びフィードロール２８の協働により捌かれて最上部の用紙のみ主搬送路３２に導かれ、レジストロール３８により一時停止され、タイミングをとって後述する転写装置４２と像担持体４４との間を通って現像剤像が転写され、この転写された現像剤像が定着装置３６により定着され、排出ロール４０により排出口３４から排出部１６へ排出される。
【００２３】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に用紙の後端手前がかかる時点で排出ロール４０が反転し、用紙が反転路４８に導かれ、レジストロール３８、転写装置４２と像担持体４４及び定着装置３６を通って排出口３４から排出部１６へ排出されるものである。
【００２４】
排出部１６は、画像形成装置本体１２に対して回動自在の傾斜部５２を有する。この傾斜部５２は、排出口部分が低く、正面方向（図１の右方向）に向けて徐々に高くなるよう傾斜しており、排出口部分を下端とし、高くなった先端を上端としている。この傾斜部５２は下端を中心に回動自在であるよう画像形成装置本体１２に支持されている。図１で２点鎖線で示すように、傾斜部５２を上方に回転して開いたときには、開放部５４が形成され、この開放部５４を介して後述するプロセスカートリッジ６４が脱着できるようにしてある。
【００２５】
像形成手段１４は、例えば電子写真方式のもので、感光体からなる像担持体４４と、この像担持体４４を一様帯電する例えば帯電ロールからなる帯電装置５６と、帯電装置５６により帯電された像担持体４４に、光により潜像を書き込む光書込み装置５８と、この光書込み装置５８により形成された像担持体４４の潜像を現像剤により可視化する現像機６０と、この現像機６０による現像剤像を用紙に転写する例えば転写ロールからなる転写装置４２と、像担持体４４に残存する現像剤をクリーニングする例えばブレードからなるクリーニング装置６２と、転写装置４２により転写された用紙上の現像剤像を用紙に定着させる定着装置３６とから構成されている。光書込み装置５８は例えば走査型のレーザ露光装置からなり、前述した給紙ユニット１８と平行で画像形成装置本体１２の正面近傍に配置され、現像機６０内を横切って像担持体４４を露光する。
【００２６】
プロセスカートリッジ６４は、像担持体４４、帯電装置５６、現像機６０及びクリーニング装置６２を一体化したものである。このプロセスカートリッジ６４は、排出部１６の傾斜部５２に直近下方に配置されており、前述したように、傾斜部５２を開いたときに形成される開放部５４を介して着脱される。
【００２７】
また、画像形成装置本体１２内には、画像形成装置１０を構成する各部に給電する給電部（電源）６５が設けられている。
【００２８】
図２において、定着装置３６の概要が示されている。定着装置３６は、画像形成装置本体１２に対して着脱されるようにユニット化され、ユニット本体６６を有している。このユニット本体６６は、第１の筐体６８と第２の筐体７０とが組合されて構成されている。即ち、第１の筐体６８と第２の筐体７０とは、図示しない支点を介して連結され、さらに第１の筐体６８には、加熱ロール７２が回転自在に支持され、第２の筐体７０には、加圧ロール７４が回転自在に支持されている。そして、加圧ロール７４は、図示しない弾性体により加熱ロール７２に圧接され、ニップ部７８が形成されている。
【００２９】
加熱ロール７２内にはランプからなるヒータ８０が配置され、加熱ロール７２を加熱する。ニップ部７８を挟んで上下方向に前述した搬送路３２が構成され、用紙が下から上へ搬送される。ニップ部７８の上流側には入り口側シュート８２が、ニップ部７８の下流側には出口側シュート８４ａ，８４ｂがそれぞれ配置されている。出口側シュート８４ａ，８４ｂは、第１の筐体６８と第２の筐体７０とに設けられており、第２の筐体７０の出口側シュート８４ａが上方に移動することにより用紙を通過させるようになっている。ニップ部７８の下流側近傍で第１の筐体６８には、剥離爪８８が加熱ロール７２の軸方向（用紙の幅方向）に複数設けられている。この剥離爪８８は、加熱ロール７２の表面を傷付けない程度の弱い力で加熱ロール７２側に付勢され、該剥離爪８８の先端が加熱ロール７２の表面に圧接し、加熱ロール７２に巻き付こうとする用紙を剥がすようになっている。
【００３０】
また、加熱ロール７２の例えば下方には、加熱ロール７２に対して所定の隙間をあけて回路遮断器（サーモスタット）９０が設けられている。そして、給電部６５は、回路遮断器９０を介してヒータ８０へ給電するようにされている。即ち、回路遮断器９０は、加熱ロール７２（定着装置３６）の温度が所定の温度になった場合に、給電部６５からヒータ８０（定着装置３６）への給電を遮断するようにされている。
【００３１】
次に、加熱ロール７２に対するヒータ８０及び回路遮断器９０の配置、並びにヒータ８０に給電するための電路について説明する。
図３は、加熱ロール７２に対するヒータ８０及び回路遮断器９０の配置、並びにヒータ８０に給電するための電路を示す模式図である。
加熱ロール７２は、図示しない軸受けが両端部に設けられ、軸受けを介して第１の筐体６８に固定されている。上述したように、加熱ロール７２内には、ヒータ８０が配置されている。ヒータ８０は、左右に端子９２ａ，９２ｂが設けられている。
【００３２】
端子９２ａは、ネジなどの固定部材９３ａにより、板金９４に接触させられ、板金９４の一端とともに第１の筐体６８に対して固定されている。板金９４は、他端がファストン端子９６を介して第１のハーネス（第１の配線）９８に接続されている。第１のハーネス９８は、ドロワーコネクタ１００から引き回され、定着装置３６内に電路を形成する。ドロワーコネクタ１００は、定着装置３６の端部に設けられたコネクタであり、定着装置３６が画像形成装置本体１２に装着されることにより、画像形成装置本体１２に設けられたコネクタ（図示せず）に接続され、給電部６５が出力する電力を定着装置３６内に供給する。なお、ドロワーコネクタ１００には、後述する第２のハーネス１０６も設けられている。
【００３３】
端子９２ｂは、ネジなどの固定部材９３ｂにより、板金１０２の一端に固定されている。板金１０２は、例えばＩ字型の金属を屈曲させて形成された部材であり、ネジなどの固定部材９３ｃにより、他端が第１の筐体６８に固定されている。また、板金１０２は、図３に示した回路遮断器９０の高さＡと、回路遮断器９０から加熱ロール７２までの距離Ｂと、加熱ロール７２の表面からヒータ８０の中心軸までの距離Ｃとを加えた距離Ｄが所定の値になるように形成されており、ヒータ８０を加熱ロール７２の略中心に配置するようにされている。そして、ヒータ８０は、端子９２ｂ側が板金１０２を介して第１の筐体６８に固定されているので、変形（撓み）可能な板金１０２によって端子９２ｂ側が軸方向に変位可能に支持されている。
【００３４】
また固定部材９３ｃは、板金１０２を第１の筐体６８に固定すると同時に、回路遮断器９０の第１の端子１０３ａを板金１０２に接触させて、板金１０２とともに第１の筐体６８に固定する。回路遮断器９０の第２の端子１０３ｂは、ファストン端子１０４を介して第２のハーネス（第２の配線）１０６に接続されている。第２のハーネス１０６は、ドロワーコネクタ１００から引き回され、定着装置３６内に電路を形成する。
【００３５】
次に、ヒータ８０の端子９２ａからドロワーコネクタ１００への電路の引き回しの具体例について説明する。
図４は、ヒータ８０の端子９２ａからドロワーコネクタ１００への電路の引き回しの第１例を示す斜視図である。
図４に示すように、ヒータ８０の端子９２ａは、定着装置３６内でドロワーコネクタ１００の近傍に配置されている。第１のハーネス９８は、第１の筐体６８に設けられた引掛け部材１０８に引っ掛けられた状態で配置される。引掛け部材１０８は、第１のハーネス９８が引掛け部材１０８により折り返す方向（図４において下側）に対し、逆方向（図４において上側）に開放されている。
また、ドロワーコネクタ１００及びファストン端子９６は、着脱方向が同じにされており、加熱ロール７２の軸方向に略直交する方向に着脱可能にされている。これにより、ファストン端子９６の着脱方向がドロワーコネクタ１００と干渉する方向ではなくなり、定着装置３６を小さくし易く、また、定着装置３６を小さくしてもファストン端子９６の着脱の作業性が確保されている。
【００３６】
図５は、ヒータ８０の端子９２ａからドロワーコネクタ１００への電路の引き回しの第２例を示す斜視図である。
図５に示すように、ヒータ８０の端子９２ａは、定着装置３６内でドロワーコネクタ１００の近傍に配置されている。第１のハーネス９８は、ドロワーコネクタ１００から引掛け部材１０８までの距離が上記の第１例よりも長くされた引掛け部材１０８に引っ掛けられた状態で配置される。また、ドロワーコネクタ１００とファストン端子９６とは、着脱方向が略直交するようにされており、且つ加熱ロール７２の軸方向に略直交する方向に着脱可能にされている。また、引掛け部材１０８は、第１のハーネス９８が引掛け部材１０８により折り返す方向（図５において左側）に対し、逆方向（図５において右側）に開放されている。これにより、ファストン端子９６の着脱方向がドロワーコネクタ１００と干渉する方向ではなくなり、定着装置３６を小さくし易く、また、定着装置３６を小さくしてもファストン端子９６の着脱の作業性が確保されている。
また、ドロワーコネクタ１００及びファストン端子９６の周囲に作業者が作業し易いように作業空間を確保すべく、第１のハーネス９８が長くされても、第１のハーネス９８が引掛け部材１０８に引っ掛けられることにより、第１のハーネス９８がたるむことなく定着装置３６内に配置される。作業の手順としては、ファストン端子９６を接続し、その後に第１のハーネス９８を引掛け部材１０８に引っ掛ける。したがって、第１例に比べて、第１のハーネス９８が長くし易い第２例は、ファストン端子９６の接続が更に遣り易く、更に、第１のハーネス９８を引掛け部材１０８に引っ掛けられるので、たるむことなくコンパクトに定着装置３６内に配置される。
【図面の簡単な説明】
【００３７】
【図１】本発明の実施形態に係る画像形成装置の概要を示す側面図である。
【図２】定着装置を側方から見た断面図である。
【図３】加熱ロールに対するヒータ及び回路遮断器の配置、並びにヒータに給電するための電路を示す模式図である。
【図４】ヒータの端子からドロワーコネクタへの電路の引き回しの第１例を示す斜視図である。
【図５】ヒータの端子からドロワーコネクタへの電路の引き回しの第２例を示す斜視図である。
【符号の説明】
【００３８】
１０    画像形成装置
１４    像形成手段
３６    定着装置
４２    転写装置
６５    給電部
６８    第１の筐体
９０    回路遮断器
９２ａ，９２ｂ    端子
９３ａ，９３ｂ，９３ｃ    固定部材
９４    板金
９６    ファストン端子
９８    第１のハーネス
１００    ドロワーコネクタ
１０２    板金
１０３ａ    第１の端子
１０３ｂ    第２の端子
１０４    ファストン端子
１０６    第２のハーネス
１０８    引掛け部材
【図１】
2009229849.tif 000003
【図２】
2009229849.tif 000004
【図３】
2009229849.tif 000005
【図４】
2009229849.tif 000006
【図５】
2009229849.tif 000007